(57)【要約】【課題】【解決手段】ワイヤー又は紐（５９，５９ａ）に連結した錘（６０、６０ａ）を吊り下げる滑車（５７，５８）をそれぞれ軸支させた軸杆（５５，５６）を具えた支柱（５３，５４）をフレーム（１０）のそれぞれ端部両側に設け、該フレームの中央部に背部マット（２５）を固定して設ける。この背部マットの上下部分に頭部マット（１１）と腰部マット（３０）をそれぞれ分離して直線状に設置し、前記頭部マットの両側に夫々補助マット（１１ａ，１１ａ）を分離してフレームに固定して設け、それぞれ頭部マット及び腰部マットを具えたボックス（１８，３８）を回動又は揺動可能に設けてなる。【選択図】    図１
2004337439.tif 000002
【特許請求の範囲】
【請求項１】
ワイヤー又は紐（５９，５９ａ）に連結した錘（６０、６０ａ）を吊り下げる滑車（５７，５８）をそれぞれ軸支させた軸杆（５５，５６）を具えた支柱（５３，５４）をフレーム（１０）のそれぞれ端部両側に設け、該フレームの中央部に背部マット（２５）を固定して設け、該背部マットの上下部分に頭部マット（１１）と腰部マット（３０）をそれぞれ分離して直線状に設置し、前記頭部マットの両側に夫々補助マット（１１ａ，１１ａ）を分離してフレームに固定して設け、それぞれ頭部マット又は腰部マットを具えたボックス
（１８，３８）を回動又は揺動可能に設けてなることを特徴とする脊柱矯正器具。
【請求項２】
頭部マット（１１）又は腰部マット（３０）は、フレーム（１０）上に取付けた外パイプ（１２，３２）内に軸受（１４，３４）を介して内パイプ（１６，３６）を一定範囲で回動又は揺動可能に軸承させると共に、該内パイプの両側に取付けた連結板（１７，３７）に固定してなるボックス（１８，３８）内に、下部に複数のローラーボール（２０）を嵌合させた保持器（２１）の上部に、上面にマット面を有した頭部マット（１１）又は腰部マット（３０）と該ボックス（１８，３８）との間の四方にそれぞれバネ（２３，２３）を装着して、該頭部マットまたは腰部マットが一定範囲で遊動可能に設けてなることを特徴とする請求項１記載の脊柱矯正器具。
【請求項３】
前記頭部マット又は腰部マットを収容したボックス（１８，３８）は、前記外パイプ（１２，３２）内の軸受（１４，３４）を介してモータ（５０，５２）により一定範囲で回動又は揺動可能に制御できるようにしてなることを特徴とする請求項１又は２記載の脊柱矯正器具。
【請求項４】
前記頭部マット又は腰部マットを収容したボックス（１８，３８）は、前記外パイプ（１２，３２）内の軸受（１４，３４）を介して手動により一定範囲で回動又は揺動可能に制御できるようにしてなることを特徴とする請求項３記載の脊柱矯正器具。
【発明の詳細な説明】
【０００１】
【発明の属する技術分野】
本発明は、鞭打ち病や腰痛に悩む患者の治療に用いる脊椎矯正器具に関するものである。
【０００２】
【従来の技術】
従来、交通事故などの怪我により「鞭打ち病」と診断された患者が訴える病状には、吐き気、頭痛、めまい、耳鳴り、肩が張る、手の指先のしびれなど様々なものがある。それらの症状は、頚椎と脊椎と腰椎とからなる背骨のずれによって該脊椎の内部を通っている神経が圧迫されるために生じるものであり、医者はその措置方法の一つとして、例えば、首や背骨を一端に錘を取り付けたワイヤー又は紐などを用いて牽引する方法がある（例えば、特許文献１参照。）
【０００３】
【特許文献１】
登録実用新案第３０３１７０４号公報  （第６−９頁、図６）
【０００４】
また、患者を寝かせて治療を行なうベッドが、患者の上半身を乗せる上半身用台と、患者の尻部（腰部）を乗せる尻部用台と、患者の下肢部を乗せる脚部用台とに分割し、牽引手段によって患者の背骨を軸中心にして回転又は半転揺動させるローリング手段を具備しているものもある（例えば、特許文献２参照。）。
【０００５】
【特許文献２】
特開２０００−２３７２２２号公報（第２−４頁、図１）
【０００６】
【発明が解決しようとする課題】
しかしながら、従来の牽引方法は、例えば図７に示すように、床フレーム１のベッド２に敷設した布団３上に患者４を寝かせ、患者の首部または腰部に装着した革製又は布製（メタル板内臓）のコルセット５の両側にそれぞれ端部を連結したワイヤー又は紐等６の他端には、ベッド１の端部両側に設けた支柱９、９の上部に取付けた滑車７、７を介して５−１０ｋｇ程度の錘８の重さを利用することによって、頚椎や背柱を牽引して治療を行っている。
【０００７】
この場合、患者４の体重は下方に垂直に加わって布団３に密着する。そのため、ベッド２上に敷いた布団３は、錘８の重さを利用した牽引によってＣ方向に牽引すると患者の体が錘８によって移動し、それに伴って布団３も一緒に移動してしまい、患者の頭部や腰部に位置する布団３が波を打って山状皺部３Ｃになってしまうことが多い。そのため、牽引に対する抵抗力が起きて狭まった頚椎や脊柱の間を広げるという牽引の効果を十分に発揮することができなかった。そして、コルセット５を巻き付けた骨盤部分Ｄが痛くなるという問題点を有していた。
【０００８】
さらに、厳しい運動や重い物を持つことによる腰椎の椎間円盤ヘルニアや、衝撃による椎体のずれなどによって腰痛が発生し、ひどくなると足が痺れて歩行困難となり、立っていることができない患者が最近は多くなっている。
【０００９】
患部の痛みを取るために牽引を行ってもその効果が出ない場合には、ただ錘８の数を増やして重くして牽引力を強めるだけであるため、患者の首部や腰部に巻付けて装着したコルセット５と腰の骨盤部分との接する部分が痛いと訴える患者が多く、効率的に牽引治療を行うことが困難である。
【００１０】
本発明はかかる従来の欠点を除去し、首部や腰部の脊椎部分を回動させて捩れや歪みを取り除きながら背骨を牽引することにより各椎間板の間隔を広げて牽引の効果を高め、椎体の間隔を広げることにより椎間円盤のヘルニアによる神経の圧迫や、椎体のずれによる神経の圧迫を矯正することを目的とするものである。
【００１１】
【課題を解決するための手段】
この課題を解決するために本発明は、ワイヤーに連結した錘を吊り下げる滑車をそれぞれ軸支させた軸杆を具えた支柱をフレームのそれぞれ端部両側に設け、該フレームの中央部に背部マットを固定して設け、該背部マットの上下部分に頭部マットと腰部マットとをそれぞれ分離して直線状に設置し、前記頭部マットの両側に夫々補助マットを分離してフレームに固定して設け、頭部マット又は腰部マットを具えたボックスをそれぞれ回動又は揺動可能に設けてなることを特徴とする。
【００１２】
前記頭部マット又は腰部マットは、フレーム上に取付けた外パイプ内に軸受を介して内パイプを一定範囲で回動又は揺動可能に軸承させると共に、該内パイプの両側に取付けた連結板に固定してなるボックス内に、下部に複数のローラーボールを嵌合させた保持器の上部に、上面にマット面を有した頭部マット又は腰部マットと該ボックスとの間の四方にそれぞれバネを装着して、該頭部マットまたは腰部マットが一定範囲で遊動可能に設けてなることを特徴とする。
【００１３】
前記頭部マット又は腰部マットを収容したボックスは、前記外パイプ内の軸受を介して一定範囲で回動又は揺動可能に制御できるようにモータに連動してなることを特徴とする。この場合、モータを使用せずに手動により制御するようにしてもよい。
【００１４】
本発明は上記のように、前記頭部マット又は腰部マットの四方にバネを装着して遊動可能に収容した頭部用のボックスおよび腰部用のボックスに連結した内パイプを、前記外パイプ内に軸受を介して一定範囲で回動又は揺動可能に装着してあるので、患者の首部や腰部の捩れや歪みや曲りを回動させることにより弛めて解消させながら、首部と腰部などの椎体を伸ばして互いの椎体の間隔を広げ、椎間円盤又は椎間円板のヘルニアによる神経の圧迫や椎体のずれによる神経の圧迫を解消するものである。
【００１５】
【発明の実施の形態】
本発明に係る実施の形態を図面により説明すると、図１、２において、患者が治療のために横に寝られる十分な長さ及び横幅を有したフレーム１０上に頭部マット１１と、背部マット２５と、腰部マット３０とを直線状に配してそれぞれ分離して設けてある。マット全体が一体であると、患者の全体重がマット全体で受けるため牽引力の抵抗となり、牽引効果が弱くなるのでそれを防ぐため頭部マットと背部マットと腰部マットを分離して患者の体重を分散して支える。
【００１６】
フレーム１０の両端には、フレームの長手方向に設けた軸線を中心にして頭部マット１１を一定範囲内において回動又は揺動させる第１のモータ５０と、また腰部マット３０を一定範囲内において回動又は揺動させる第２のモータ５２とを夫々設けてある。各モータの両側にそれぞれ位置させて、対をなす支柱５３、５３、５４、５４にそれぞれ軸杆５５、５６を軸支させ、各軸杆に夫々対をなして滑車５７，５７、５８，５８を軸支させてある。
【００１７】
頚椎の牽引を一定荷重で水平方向にのみ牽引しても硬直した首部の筋肉は，左右に差があるため効果が出ない。それを解消するために、患者の体を牽引しながら頭部マット及び腰部マットごと首部や腰部を回動させることにより，左右硬直した筋肉を平均化し、椎体のずれと椎間円盤のヘルニア部を正常な位置に戻すことができ、それによって前記症状を解消する大きな要因となる。
【００１８】
図１、２、３において、頭部マット１１について説明すると、フレーム１０の一端である頭部側中央に、長手方向に配した外パイプ１２を複数の固定フレーム１３でフレーム１０に固定してある。外パイプ１２の内部にはベアリングなどの公知の軸受１４，１４を介してやや小径の内パイプ１６を回動可能に軸承し、外パイプ１２の外側に位置して前記内パイプの両端に連結板１７、１７を固定してある。この連結板１７、１７の間に、四方を上方に立ち上がらせた第１のボックス１８を固定し、フレーム１０の端部側に位置させた一方の取付板１７が前記第１のモータ５０に連結してある。
【００１９】
このボックス１８内には、図５、６に示すように、上下左右に一定又は任意間隔ごとに設けた複数の嵌合孔１９内に複数のローラーボール２０を回動可能に嵌合した保持器２１の上部には、内部に公知の柔軟部材を収容して表面をレザーなどで覆ってマット面を形成して前記頭部マット１１を設けてある。このように布団と異なりマット面のため、患者の体は殆ど沈まないので治療しやすいという利点がある。
【００２０】
頭部マット１１と該頭部マットを収容した第１のボックス１８との間には１０〜２０ｍｍ、好ましくは約１０ｍｍの間隙部２２を四方に設けてある。この間隙部２２内には夫々対をなしてバネ２３を装着し、該頭部マット１１が５〜１０ｍｍ程度四方に自由に移動、即ち、遊動できるようにしてある。頭部マット１１上には、必要に応じて患者の頭部を乗せる枕２４を用いてもよい。この頭部マット１１の移動距離は、間隙部２２を調節することにより長くしたり短くしたりすることができる。
【００２１】
頭部マット１１を収容したボックス１８は、一側に取付けた連結板１７を介してモータ５０に連結してあり、公知のスイッチ機構、クラッチ機構または一方にのみ回動させるラチェット機構などを必要に応じて装着し、モータ５０の回転または手動により一定範囲で首部を回動又は揺動させることができるようにしてある。この場合、長手方向軸線を中心に回動又は揺動できる範囲は最大で４５度、好ましくは２５〜３５度回動できるようにしてある。
【００２２】
常に水平状態である背部マット２５に対し、モータ５０の回動又は手動により患者の頭部を載せた頭部マット１１を約２５〜３５度の範囲で回動又は揺動させて、頚椎の歪みや捩れを戻しながら患者の首に装着した首コルセット６１の両側に設けた止輪６２に一端を止着したワイヤー又は紐など５９の他端に取付けた錘６０の重さで患者の頚椎部分を牽引することによって頚椎の椎体を広げ、それによって神経の圧迫などを解消して痛みや痺れを解消させるものである。この場合、首の両側部分の捩れや歪み具合の状態に応じて首コルセット６１の両側にそれぞれ止着したワイヤーに連結した２つの錘６０の重さを調整して最適な状態で牽引を行なうことが出来る。
【００２３】
この頭部マット１１の両側には、図２、３に示すように、それぞれ上面をレザー等で覆った補助マット１１ａ、１１ａを設けてあるので、頭部マット１１を水平にすれば、該頭部マット１１と補助マット１１ａ、１１ａとで同一な平坦面を形成できる。この補助マット１１ａ、１１ａは、頭部マット１１の両側に位置しているので、頭部マットがストッパー機能を発揮し、患者の頭部が頭部マット１１から落下するのを防ぐことができるし、また、医者や整体師が頭部にマサージや指圧をする場合に、頭部マットと補助マットとが同一面であるから治療を行いやすい利点がある。
【００２４】
図１、２において、背部マット２５について説明すると、フレーム１０の中間部に背中全体を載させる背部マット２５を固定して設けてあるので、患者は背中をこの背部マット２５に載せて体重の大部分を支える。即ち、背部マット２５は、患者の体重の大部分を支えるため患者は安心して横になれる作用を有してあり、可動する構造を有しないため構成が簡単で軽量化できる。また、患者の背中全体を載置できるので、患者の胸部分の指圧やマッサージ、また、患者をうつ伏せにした状態で背中部分の指圧やマッサージを施すことができる。その際、患者の体を支えるマット面は布団と相違して患者の体が大きく沈まないので、効果的にマッサージなどを行なうことができる。
【００２５】
図１、２、４において、腰部マット３０について説明すると、フレーム１０の一端である足元側中央には、長手方向に第２の外パイプ３２を複数の固定フレーム３３でフレーム１０に固定してある。そして、外パイプ３２の内部にベアリングなど公知の軸受３４、３４を介してやや小径な第２の内パイプ３６を回動可能に軸承させ、該外パイプの外側に位置して前記内パイプの両端を固定した連結板３７、３７に、四方を上方に立ち上がらせて設けた第２のボックス３８を固定し、フレーム１０の端部側に位置した一方の連結板３７を前記第２のモータ５２に連結してある。
【００２６】
このボックス３８内には、図５、６に示すように、周囲に間隙部３９を設けると共に、下面に一定又は任意間隔ごとに上下左右に設けた嵌合孔１９内に複数のローラーボール２０をそれぞれ回動可能に嵌合させた保持器２１の上方内部に公知の柔軟部材を収容して表面をレザーなどで覆ってマット面を形成した腰部マット３０を設けてある。
【００２７】
腰部マット３０の構成と、頭部マット１１の構成は略同じであるので、頭部マットを示した図５、６に基づいて以下に説明すると、腰部マット３０と該腰部マットを収容したボックス３８との間に四方に設けた間隙部３９内には、それぞれ対をなしてバネ２３を装着し、該腰部マット３０が５〜２５ｍｍ、好ましくは１０ｍｍ程度移動できるようにしてある。
【００２８】
ボックス３８は、一速に設けた連結板３７を介してモータ５２に連結してあるが、公知のスイッチ機構、クラッチ機構や一方にのみ回動させるラチェット機構などを装着し、モータ５２または手動で回動又は揺動できるようにしてある。この場合、軸芯を中心に回動又は揺動できる範囲は最大で４５度、好ましくは２５〜３５度の範囲で回動できるようにしてある。
【００２９】
これにより、常に水平状態である背部マット２５に対し、患者の腰部を載せる腰部マット３０をモータ５２の回転又は手動により回動させて、腰部背骨の歪みや捩れを戻しながらワイヤー５９、５９、錘６０、６０で患者の腰部の背柱を牽引することにより、脊柱の椎体を広げて神経の圧迫を解消する。この骨盤をコルセットの固定反力とし、錘によって骨盤と腰部以下を牽引することにより，正常に戻すと同時に腰部用の第２のボックスごと牽引しながら回動して左右の錘の荷重調整を行って骨盤のずれも正常にすることが可能である。
【００３０】
フレ−ム１０の上面は、頭部マット１１と背部マット２５と腰部マット３０とにそれぞれ分離して設けてあり、且つ、各マットの上方内部にはやや硬いスポンジなどを収容し、その表面をレザーなどの表面部材で覆ってあるので、各マットの上に患者が横になっても患者の体が大きく沈みこむことなく横たわることができるので、指圧やマサージを効果的に行うことが出来る。この場合、従来は、頚椎は頚椎だけ、腰柱は腰柱だけしか牽引を行うことができず、背骨全体の矯正を行うことができなかった。
【００３１】
次に、本発明の実施形態の作用について説明すると、頭部マット上に頭部を載せ、また背部マット上に背中全体を載せ、さらに、腰部マット上に腰部や脚部を載せて患者を寝かせてから、首部に首コルセット６３を装着し、該コルセットの両側に止着したワイヤー又は紐など５９を滑車５７に環回して端部に錘６０を連結する。ついで、腰部に腰コルセットを装着し、該コルセットの両側に止着したワイヤー５９ａを滑車５７に環回して端部に錘６０ａを連結して牽引を開始するものである。
【００３２】
患者の首部の頚椎が片側にずれて曲ったり、あるいは、腰部の脊柱が片側にずれて曲ったりしている場合には、頭部マット１１や腰部マット３０をモ−タ５０、５２あるいは手動により回動させてずれや曲りや歪みを戻した状態で、錘６０，６０ａで牽引して各椎体の間隔を広げるため、該椎体間の狭まった間隔を広げることにより捩れやずれを解消すると共に椎間円盤のヘルニアによる神経の圧迫を解消することができる。このように、牽引しながらマットをモータまたは手動により回動させることにより，左右硬直した筋肉を平均化して椎体のずれと椎間円盤のヘルニア部を正常な位置に戻す効果を得ることができ、前記した各種症状を軽くする大きな要因となるものである。
【００３３】
頭部マット及び腰部マットは回動できる構成であるから、骨盤をコルセットの固定反力として錘によって骨盤と腰骨以下を牽引して正常に戻すと同時に、牽引しながらマットをボックスごと回転して左右の錘の荷重調整にて骨盤のずれを正常にすることが可能である。また、マットは、軸線方向に移動しないが、患者の頭部及び腰部が載った頭部マット及び腰部マットに載った患者の頭部と腰部は、ワイヤーによってフレームの長手方向に牽引され夫々引き伸ばされ、ボックスと頭部マット及ぶ腰部マットとの間に介在させたバネ２３の弾発力に抗して、頭部マット及び腰部マットを軸線方向に移動するもので、その移動距離は５〜１０ｍｍ程度であり、この距離が脊柱の椎体間の各間隔が伸ばされた距離である。
【００３４】
また、牽引を終了した後、ワイヤー又は紐などに連なるコルセットを取外し、患者が横になっている頭部マット、背部マット、腰部マット上に横になっている状態のまま患者の体に指圧やマッサージを行うことができて便利な器具である。
【００３５】
【発明の効果】
以上のように本発明によれば、頭部マットと背部マットと腰部マットとが夫々分離して設けてあり、モータ又は手動により一定範囲でボックスを回動させることにより患者の首部の頚椎または腰部の脊柱に及ぼされた歪みやずれや捩れなどを解消させると共に、患者の首部及び腰部に装着させたコルセットに端部を止着させたワイヤーの他端に連結した左右の荷重調整を行って左右の筋肉を均一化して鞭打ち症の不快感を起す原因である椎間円盤のヘルニアによる神経の圧迫を解消することができる。
【図面の簡単な説明】
【図１】本発明に係る脊椎矯正器具に患者を寝かせて牽引を行っている状態を示す一部破断した説明図である。
【図２】脊椎矯正器具の一部省略した平面図である。
【図３】図２のＸ−Ｘ線断面図である。
【図４】図２のＹ−Ｙ線断面図である。
【図５】頭部マットの平面図である。
【図６】図５のＺ−Ｚ線断面図である。
【図７】従来の牽引装置を示した説明図である。
【符号の説明】
１０      フレーム
１１ａ    補助マット
１１      頭部マット
１２      外パイプ
１６      内パイプ
１７      連結板
１８      第１のボックス
２０      ローラーボール
２１      保持器
２２      間隙部
２３      バネ
２５      背部マット
３０      腰部マット
３２      第２の外パイプ
３７      連結板
３８      第２のボックス
３９      間隙部
５０      モータ
５２      モータ
５９      ワイヤー又は紐
６０      錘
６１      首コルセット
６３      腰コルセット
【図１】
2004337439.tif 000003
【図２】
2004337439.tif 000004
【図３】
2004337439.tif 000005
【図４】
2004337439.tif 000006
【図５】
2004337439.tif 000007
【図６】
2004337439.tif 000008
【図７】
2004337439.tif 000009